(57)【要約】      （修正有）【課題】布製品を保持することができ、プレーヤーにとっての利便性に優れたゴルフボール用マーカーを提供する。【解決手段】マーカー２は、ボディ４、カバー６及びマグネット８を有する。ボディは、側プレート１０、天プレート１２及びポケット１４を有し、カバーは、側シート２４及び天シート２６を有する。天シートは、布製品を保持可能なスリット３８及びスプリング４２を有する。カバーは、ボディ４に取り付けられ、チャンバー４４が形成される。乗用カートのフレームに取付可能とするためのマグネットは、ポケットに収容される。マーカーの直径Ｄｉは、１０ｍｍ以上６０ｍｍ以下が好ましい。マーカーの高さＨ１は、５ｍｍ以上２５．４ｍｍ以下が好ましい。チャンバーの高さＨ２は、４ｍｍ以上が好ましい。【選択図】図１２
0003227029.tif 000002
【実用新案登録請求の範囲】
【請求項１】
（１）ボディ
（２）上記ボディに取り付けられたマグネット
及び
（３）上記ボディに取り付けられており、布製品を保持しうるキーパー
を備えたゴルフボール用マーカー。
【請求項２】
上記キーパーが弾性を有するシートであり、
上記シートが、上記布製品が差し込まれうるスリットを有しており、
上記布製品の差し込みよって弾性変形したキーパーの復元力により、上記布製品が上記キーパーに保持される請求項１に記載のマーカー。
【請求項３】
上記スリットによって上記シートに複数の板バネが形成されており、
上記板バネが湾曲したときの復元力により、上記布製品が上記シートに保持される請求項２に記載のマーカー。
【請求項４】
全体形状が円盤状である請求項１から３のいずれかに記載のマーカー。
【請求項５】
平面形状が実質的に円であり、この円の直径が１０ｍｍ以上６０ｍｍ以下である請求項１から４のいずれかに記載のマーカー。
【請求項６】
上記円の直径が１０ｍｍ以上５０．８ｍｍ以下である請求項５に記載のマーカー。
【請求項７】
高さが５ｍｍ以上２５．４ｍｍ以下である請求項１から６のいずれかに記載のマーカー。
【請求項８】
上記布製品の一部を収容しうるチャンバーを有する請求項１から７のいずれかに記載のマーカー。
【請求項９】
上記チャンバーの高さが４ｍｍ以上である請求項８に記載のマーカー。
【請求項１０】
上記布製品が取り付けられうる留め具をさらに備えており、
上記キーパーが上記留め具を介して上記布製品を保持する請求項１に記載のマーカー。
【請求項１１】
上記キーパーが上記ボディに磁着されうる蓋である請求項１に記載のマーカー。
【請求項１２】
上記ボディに磁着されうる蓋を有しており、
上記キーパーが上記蓋が有するフックである請求項１に記載のマーカー。
【考案の詳細な説明】
【技術分野】
【０００１】
本考案は、プレーヤーがゴルフボールをピックアップするときに用いられるマーカーに関する。
【背景技術】
【０００２】
ゴルフの競技においてプレーヤーは、ティショットからパッティンググリーンにゴルフボールが載るまでは、原則としてゴルフボールに触れることができない。一方、パッティンググリーン上では、プレーヤーは、ゴルフボールをピックアップすることができる。さらにプレーヤーは、ゴルフボールに付着した泥等を拭き取ることができる。
【０００３】
ゴルフボールをピックアップしようとするとき、プレーヤーは、マーカーを用いる。プレーヤーは、カップとゴルフボールとを結ぶ線上であってかつゴルフボール後方に、マーカーを置く。プレーヤーはゴルフボールをピックアップし、泥等を拭き取る。プレーヤーは、ゴルフボールをマーカーの前方にプレースする。これにより、元の位置にゴルフボールが戻される。マーカーは、プレース位置を示す役割を果たす。プレーヤーにとって、マーカーは必需品である。マーカーの一例が、実用新案登録第３２１２３５８号公報に開示されている。
【先行技術文献】
【特許文献】
【０００４】
【特許文献１】実用新案登録第３２１２３５８号公報
【考案の概要】
【考案が解決しようとする課題】
【０００５】
ゴルフボールの泥は、タオルによって拭き取られる。キャディを帯同するラウンドでは、通常はこのキャディが、タオルを持つ。セルフプレーの場合は、プレーヤー自らがタオルを持たなければならない。タオルを忘れたプレーヤーは、泥を拭き取ることができない。
【０００６】
乗用カートが用いられるラウンドでは、この乗用カートにタオルが備えられている。プレーヤーは、このタオルで、ゴルフクラブの汚れを落とす。このタオルでパッティンググリーンに載ったゴルフボールを拭くには、プレーヤーは、乗用カートからタオルを取り外し、これをパッティンググリーンまで持参しなければならない。この作業は、手間である。
【０００７】
本考案の目的は、プレーヤーにとっての利便性に優れたゴルフボール用マーカーの提供にある。
【課題を解決するための手段】
【０００８】
本考案に係るゴルフボール用マーカーは、
（１）ボディ
（２）上記ボディに取り付けられたマグネット
及び
（３）上記ボディに取り付けられており、布製品を保持しうるキーパー
を備える。
【０００９】
好ましくは、キーパーは、弾性を有するシートである。このシートは、布製品が差し込まれうるスリットを有する。布製品の差し込みよって弾性変形したキーパーの復元力により、布製品がキーパーに保持される。
【００１０】
好ましくは、スリットによってシートに複数の板バネが形成される。この板バネが湾曲したときの復元力により、布製品がシートに保持される。
【００１１】
好ましくは、マーカーの全体形状は、円盤状である。好ましくは、マーカーの平面形状は、実質的に円である。好ましくは、この円の直径は、１０ｍｍ以上６０ｍｍ以下である。好ましくは、この円の直径は、１０ｍｍ以上５０．８ｍｍ以下である。
【００１２】
好ましくは、マーカーの高さは、５ｍｍ以上２５．４ｍｍ以下である。
【００１３】
好ましくは、マーカーは、布製品の一部を収容しうるチャンバーを有する。好ましくは、このチャンバーの高さは、４ｍｍ以上である。
【００１４】
マーカーが、布製品が取り付けられうる留め具をさらに有してもよい。キーパーは、留め具を介して布製品を保持しうる。
【００１５】
キーパーが、ボディに磁着されうる蓋であってもよい。
【００１６】
マーカーが、ボディに磁着されうる蓋を有してもよい。蓋は、フックを有しうる。この場合、このフックがキーパーである。
【考案の効果】
【００１７】
本考案に係るゴルフボール用マーカーは、マーカーとしてのみならず、布製品の保持具としても用いられうる。このマーカーは、プレーヤーに利便性を提供しうる。
【図面の簡単な説明】
【００１８】
【図１】図１は、本考案の一実施形態に係るゴルフボール用マーカーが示された分解斜視図である。
【図２】図２は、図１のマーカーのボディが示された平面図である。
【図３】図３は、図２のボディが示された正面図である。
【図４】図４は、図２のボディが示された底面図である。
【図５】図５は、図２のＶ−Ｖ線に沿った断面図である。
【図６】図６は、図２のVI−VI線に沿った断面図である。
【図７】図７は、図１のマーカーのカバーが示された平面図である。
【図８】図８は、図７のカバーが示された底面図である。
【図９】図９は、図７のIX−IX線に沿った断面図である。
【図１０】図１０は、図７のＸ−Ｘ線に沿った断面図である。
【図１１】図１１は、図１のXI−XI線に沿った断面図である。
【図１２】図１２は、図１１のXII−XII線に沿った断面図である。
【図１３】図１３は、図１のマーカーがタオル及び乗用カートと共に示された説明図である。
【図１４】図１４は、図１のマーカーがタオルと共に示された説明図である。
【図１５】図１５は、図１のマーカーがタオル及びパターと共に示された説明図である。
【図１６】図１６は、本考案の他の実施形態に係るゴルフボール用マーカーが示された分解斜視図である。
【図１７】図１７は、本考案のさらに他の実施形態に係るゴルフボール用マーカーが示された分解斜視図である。
【図１８】図１８は、本考案のさらに他の実施形態に係るゴルフボール用マーカーが示された分解斜視図である。
【考案を実施するための形態】
【００１９】
以下、適宜図面が参照されつつ、好ましい実施形態に基づいて本考案が詳細に説明される。
【００２０】
図１に示されたマーカー２は、ボディ４、カバー６及びマグネット８を有している。後に詳説されるように、カバー６はボディ４に取り付けられ、マグネット８もボディ４に取り付けられる。
【００２１】
図２−６に、ボディ４が示されている。このボディ４は、硬質である。ボディ４の材質として、金属及び硬質合成樹脂が挙げられる。典型的な金属は、ステンレススチールである。強磁性を有する金属が、好ましい。このボディ４は、側プレート１０、天プレート１２及びポケット１４を有している。
【００２２】
側プレート１０は、全体としてリング状である。図３及び４から明らかなように、側プレート１０は、厚肉リング１６と薄肉リング１８とを有している。薄肉リング１８は、図３において、厚肉リング１６の下方に位置している。厚肉リング１６と薄肉リング１８とは、同心である。厚肉リング１６と薄肉リング１８とは、一体成形されている。薄肉リング１８の内径は、厚肉リング１６の内径と同じである。従って、薄肉リング１８の内周面は、厚肉リング１６の内周面と一致している。薄肉リング１８の外径は、厚肉リング１６の外径よりも小さい。従って、厚肉リング１６の外周面と薄肉リング１８の外周面との境界には、段差２０が形成されている。
【００２３】
天プレート１２は、側プレート１０と一体成形されている。天プレート１２は、側プレート１０が形成するリングの上面の一部を覆っている。リングの上面の残余の部分は、開口２２である。
【００２４】
ポケット１４は、筒状である。ポケット１４の軸方向の一端（図４における上端）は、天プレート１２に接合されている。従ってこの一端は、天プレート１２によって塞がれている。ポケット１４の軸方向の他端は、開口している。
【００２５】
図７−１０に、カバー６が示されている。このカバー６は、軟質な弾性体である。カバー６の材質として、架橋ゴム組成物及び軟質合成樹脂組成物が挙げられる。架橋ゴム組成物の基材ゴムとして、シリコーンゴムが例示される。軟質合成樹脂組成物の基材樹脂として、ポリ塩化ビニルが例示される。軟質合成樹脂組成物の基材樹脂として、熱可塑性エラストマーが用いられてもよい。このカバー６は、側シート２４及び天シート２６を有している。
【００２６】
側シート２４は、全体としてリング状である。図９から明らかなように、側シート２４は、薄肉リング２８と厚肉リング３０とを有している。厚肉リング３０は、図９において、薄肉リング２８の下方に位置している。薄肉リング２８と厚肉リング３０とは、同心である。薄肉リング２８と厚肉リング３０とは、一体成形されている。厚肉リング３０の外径は、薄肉リング２８の外径と同じである。従って、厚肉リング３０の外周面は、薄肉リング２８の外周面と一致している。厚肉リング３０の内径は、薄肉リング２８の内径よりも小さい。従って、薄肉リング２８の内周面と厚肉リング３０の内周面との境界には、段差３２が形成されている。
【００２７】
天シート２６は、側シート２４と一体成形されている。天シート２６は、側シート２４が形成するリングの上面を覆っている。天シート２６は、薄肉シート３４と厚肉シート３６とを有している。薄肉シート３４は、３本のスリット３８を有している。これらのスリット３８により、交差点４０が形成されている。スリット３８の数は、１本でもよく、２本でもよく、４本以上でもよい。それぞれのスリット３８は、交差点４０により、２つのスリットハーフに区画されうる。図７の実施形態では、スリット３８の数が３なので、スリットハーフの数は６である。スリットハーフの数は５以下でもよく、７以上でもよい。図７の実施形態では、それぞれのスリットハーフの平面形状は、実質的に直線である。スリットハーフが、湾曲した形状を有してもよい。
【００２８】
それぞれのスリット３８は、薄肉シート３４を貫通している。従って薄肉シート３４は、スリット３８により区画されている。本実施形態では、薄肉シート３４は、３本のスリット３８により６個の要素４２に区画されている。各要素４２は、「スプリング」と称される。このスプリングは、いわゆるフラットスプリング（板バネ）である。
【００２９】
マグネット８（図１参照）は、円柱状である。好ましいマグネット８は、ネオジム磁石である。
【００３０】
図１１及び１２には、マーカー２が示されている。図１１は、図１のXI−XI線に沿った断面図である。図１２は、図１１のXII−XII線に沿った断面図である。
【００３１】
このマーカー２では、カバー６がボディ４に取り付けられている。図１１及び１２に示されるように、ボディ４の側プレート１０の外周面と、カバー６の側シート２４の内周面とは、当接している。図１１から明らかなように、ボディ４の段差２０とカバー６の段差３２とは、嵌まり合っている。この嵌まり合いにより、カバー６のボディ４からの脱落が、防止されうる。ボディ４の天プレート１２の上面と、カバー６の天シート２６の下面（具体的には、厚肉シート３６の下面）とは、当接している。カバー６のボディ４への取り付けにより、チャンバー４４が形成されている。マグネット８は、ポケット１４に収容されている。
【００３２】
図１３及び１４には、マーカー２がタオル４６と共に示されている。図１３には、乗用カートのフレーム４８も示されている。マーカー２は、マグネット８の磁力により、フレーム４８に磁着している。図１４に示されるように、タオル４６のコーナー５０が、マーカー２に押し込まれている。この押し込みにより、スプリング４２が弾性変形をしている。具体的には、交差点４０（図７参照）の近傍に位置する部分が図１４の右方向へと移動するように、スプリング４２が湾曲している。このスプリング４２には、復元力が働いている。この復元力により、スプリング４２は他のスプリング４２と共に、タオル４６を挟んでいる。これにより、タオル４６が天シート２６に保持されている。換言すれば、天シート２６は、タオル４６のためのキーパーとして機能している。タオル４６のコーナー５０は、チャンバー４４に収容されている。タオル４６は、マーカー２を介して、乗用カートのフレーム４８に固定されている。
【００３３】
図１５には、マーカー２がタオル４６及びパター５２と共に示されている。タオル４６は、図１４に示された状態と同様、天シート２６に保持されている。パター５２は、シャフト５４及びヘッド５６を有している。ヘッド５６の材質は、ステンレススチールである。マーカー２は、マグネット８の磁力により、ヘッド５６に磁着している。
【００３４】
以下、このマーカー２の使用方法の一例が説明される。プレーヤーは、タオル４６のコーナー５０をマーカー２に差し込む。この差し込みにより、天シート２６のスプリング４２（図１４参照）が湾曲する。この天シート２６の復元力により、タオル４６は天シート２６に保持される。プレーヤーはさらに、マーカー２を乗用カートのフレーム４８に磁着させる。ゴルフボールがパッティンググリーンに載った後、プレーヤーは、カートに乗ってパッティンググリーンの近くに到着する。プレーヤーは、マーカー２を乗用カートから外す。プレーヤーは、タオル４６が保持された状態のマーカー２と、パター５２とを持って、パッティンググリーンまで歩く。プレーヤーは、自らが保持している他のマーカーでパッティンググリーン上に目印を付けて、ゴルフボールをピックアップする。プレーヤーは、ゴルフボールをタオル４６で拭いた後、マーカー２と一体であるタオル４６をグリーンエッジ近くの地面（ラフ）５８の上に置く。ゴルフボールをプレースしたプレーヤーは、パッティングを行い、このホールのプレーを終了する。その後にプレーヤーは、パター５２のヘッド５６にマーカー２を磁着させ、タオル４６を拾い上げる。乗用カートに戻ったプレーヤーは、マーカー２を乗用カートに磁着させることで、タオル４６をこの乗用カートに固定する。
【００３５】
このマーカー２が用いられることにより、乗用カートに対するタオル４６の着脱が、簡単になされうる。このマーカー２が用いられることにより、図１５に示されるように、パター５２（又は他のゴルフクラブ）にてタオル４６を拾い上げることができる。この拾い上げにおいて、プレーヤーは、腰を屈める必要がない。
【００３６】
プレーヤーが、他のマーカーを持参し忘れることがある。さらにプレーヤーは、ラウンド中に他のマーカーを紛失することがある。これらの場合でも、プレーヤーは、タオル４６をマーカー２から抜き、このマーカー２でパッティンググリーン上の目印を付けることができる。このマーカー２は、ゴルフボールの目印としての機能と、タオル掛けの機能とを併せ持つ。
【００３７】
ところでゴルフのプレーでは、プレーヤーが手袋を着用することが多い。夏のゴルフでは、プレーヤーは手に汗をかく。この汗で、手袋が濡れることがある。マーカー２の天シート２６に手袋を差し込み、このマーカー２を乗用カート等に磁着させることで、手袋を吊り下げた状態で乾燥させることができる。つまりこのマーカー２は、タオル４６のみならず、種々の布製品の保持に用いられうる。ここで布製品とは、織布のみならず、編み物、皮革等からなる製品を含む概念である。
【００３８】
このマーカー２の全体形状は、円盤状である。従って、このマーカー２の平面形状は、実質的に円である。従ってこのマーカー２は、方向性がない。このマーカー２は、パッティンググリーン上での使用に適している。もちろん、マーカー２の全体形状が円盤以外の形状であってもよい。例えば、マーカー２が矩形の平面形状を有してもよい。
【００３９】
図１２において矢印Ｄｉで示されているのは、マーカー２の直径（マーカー２の平面形状の輪郭である円の直径）である。直径Ｄｉは、１０ｍｍ以上６０ｍｍ以下が好ましい。直径Ｄｉが１０ｍｍ以上であるマーカー２は、よく目立つ。さらに、直径Ｄｉが１０ｍｍ以上であるマーカー２は、タオル４６のコーナー５０を収容するのに十分なスペースを、チャンバー４４が有しうる。これらの観点から、直径Ｄｉは２０ｍｍ以上がより好ましく、２５ｍｍ以上が特に好ましい。直径Ｄｉが６０ｍｍ以下であるマーカー２は、パッティンググリーン上で他のプレーヤーのパッティングの邪魔になりにくい。この観点から、直径Ｄｉは５０ｍｍ以下がより好ましく、４５ｍｍ以下が特に好ましい。Ｒ＆Ａのルールに適合するとの観点からは、直径Ｄｉは５０．８ｍｍ（２ｉｎｃｈ）以下が好ましい。
【００４０】
図１２において矢印Ｈ１で示されているのは、マーカー２の高さである。高さＨ１は、５ｍｍ以上２５．４ｍｍ（１ｉｎｃｈ）以下が好ましい。高さＨ１が５ｍｍ以上であるマーカー２は、タオル４６のコーナー５０を収容するのに十分なスペースを、チャンバー４４が有しうる。これらの観点から、高さＨ１は８ｍｍ以上がより好ましく、１０ｍｍ以上が特に好ましい。高さＨ１が２５．４ｍｍ以下であるマーカー２は、Ｒ＆Ａのルールに適合する。さらに、高さＨ１が２５．４ｍｍ以下であるマーカー２は、強風にも吹き飛ばされない。これらの観点から、高さＨ１は２０ｍｍ以下がより好ましく、１７ｍｍ以下が特に好ましい。
【００４１】
図１２において矢印Ｈ２で示されているのは、チャンバー４４の高さである。高さＨ２は、４ｍｍ以上が好ましい。高さＨ２が４ｍｍ以上であるチャンバー４４は、タオル４６のコーナー５０を収容するのに十分なスペースを有しうる。この観点から、高さＨ２は７ｍｍ以上がより好ましく、８ｍｍ以上が特に好ましい。
【００４２】
本実施形態では、マーカー２は、キーパーとして天シート２６を有している。マーカーが、キーパーとしてのクリップを有してもよい。
【００４３】
図１６は、本考案の他の実施形態に係るゴルフボール用マーカー６０が示された分解斜視図である。このマーカー６０は、ボディ６２、カバー６４、マグネット６６及び留め具６８を有している。ボディ６２は、ポケット７０を有している。このポケット７０に、マグネット６６が収容される。カバー６４は、軟質な弾性体である。図１に示されたマーカー２と同様、カバー６４はボディ６２に取り付けられる。このカバー６４は、天シート７２を有している。この天シート７２は、穴７４を有している。留め具６８は、全体として円錐状である。留め具６８は、スリット７６を有している。
【００４４】
プレーヤーは、留め具６８のスリット７６でタオルを挟む。これにより、タオルが留め具６８に取り付けられる。この留め具６８が、穴７４に差し込まれる。前述の通りカバー６４は弾性体なので、留め具６８の差し込みよって天シート７２が弾性変形し、穴７４が拡径する。換言すれば、留め具６８は穴７４に圧入される。この天シート７２の復元力により、留め具６８が締め付けられ、カバー６４に固定される。天シート７２は、キーパーとして機能する。このキーパーは、留め具６８を介してタオルを保持する。プレーヤーは、タオルを留め具６８と共に天シート７２から抜き、ボディ６２及びカバー６４にてパッティンググリーン上に目印を付けることができる。
【００４５】
図１７は、本考案のさらに他の実施形態に係るゴルフボール用マーカー７８が示された分解斜視図である。このマーカー７８は、ボディ８０、蓋８２及びマグネット８４を有している。ボディ８０は、ポケット８６を有している。このポケット８６に、マグネット８４が収容される。蓋８２は、板状である。この蓋８２は、マグネット８４に磁着しうる。この磁着により、蓋８２は、ボディ８０に固定される。
【００４６】
プレーヤーは、ボディ８０と蓋８２との間に、タオルを挟み込む。マグネット８４の磁力により、蓋８２は、タオルを介してボディ８０に付く。この蓋８２は、タオルのキーパーとして機能する。プレーヤーは、マーカー７８からタオルを外し、このマーカー７８にてパッティンググリーン上に目印を付けることができる。
【００４７】
図１８は、本考案のさらに他の実施形態に係るゴルフボール用マーカー８８が示された分解斜視図である。このマーカー８８は、ボディ９０、蓋９２及びマグネット９４を有している。ボディ９０は、ポケット９６を有している。このポケット９６に、マグネット９４が収容される。蓋９２は、天プレート９８及びフック１００を有している。フック１００は、シャンク１０２とフランジ１０４とを有している。この蓋９２は、マグネット９４に磁着しうる。この磁着により、蓋９２は、ボディ９０に固定される。
【００４８】
プレーヤーは、フック１００にタオルを掛ける。このフック１００は、タオルのキーパーとして機能する。プレーヤーは、マーカー８８からタオルを外し、このマーカー８８にてパッティンググリーン上に目印を付けることができる。パッティンググリーン上では、蓋９２は、図１８に示された状態から上下反転した状態で、ボディ９０に磁着されうる。この場合、フック１００はボディ９０に収容され、マーカー８８は全体として円盤形状を呈する。
【産業上の利用可能性】
【００４９】
本考案に係るマーカーは、ゴルフのプレーで使用される種々の物品の保持具として利用されうる。本考案に言うゴルフには、ショートホールゴルフ、グラウンドゴルフ、パークゴルフ、パターゴルフ、ケイマンゴルフ等が含まれる。
【符号の説明】
【００５０】
２、６０、７８、８８・・・マーカー
４、６２、８０、９０・・・ボディ
６、６４・・・カバー
８、６６、８４、９４・・・マグネット
１０・・・側プレート
１２、９８・・・天プレート
１４・・・ポケット
２４・・・側シート
２６、７２・・・天シート
３８・・・スリット
４２・・・スプリング
４４・・・チャンバー
６８・・・留め具
８２、９２・・・蓋
１００・・・フック
【図１】
0003227029.tif 000003
【図２】
0003227029.tif 000004
【図３】
0003227029.tif 000005
【図４】
0003227029.tif 000006
【図５】
0003227029.tif 000007
【図６】
0003227029.tif 000008
【図７】
0003227029.tif 000009
【図８】
0003227029.tif 000010
【図９】
0003227029.tif 000011
【図１０】
0003227029.tif 000012
【図１１】
0003227029.tif 000013
【図１２】
0003227029.tif 000014
【図１３】
0003227029.tif 000015
【図１４】
0003227029.tif 000016
【図１５】
0003227029.tif 000017
【図１６】
0003227029.tif 000018
【図１７】
0003227029.tif 000019
【図１８】
0003227029.tif 000020